(57)【要約】【課題】簡単な構造にして、許容荷重範囲が広く、耐久性の高い安全なスチールラック及びそのビームを提供できるようにする。【解決手段】天板若しくは棚板を設置するために支柱間に渡って梁わたされて、使用されるスチールラック用ビームであって、両端部に支柱に掛止され若しくは固定具で固定される取り付け部を有し、当該取り付け部間のビームの断面形状が、棚板の端縁部分が挿入される溝部と当該溝部を形成する一側縁から棚の荷重を受ける荷重受け部を略水平に延出した形状にした。【選択図】図２
2010162184.tif 000002
【特許請求の範囲】
【請求項１】
天板若しくは棚板を設置するために支柱間に渡って梁わたされて、使用されるスチールラック用ビームであって、両端部に支柱に掛止され若しくは固定具で固定される取り付け部を有し、当該取り付け部間のビームの断面形状が、棚板の端縁部分が挿入される溝部と当該溝部を形成する一側縁から、棚板からの荷重を受ける荷重受け部を略水平に延出した形状にしたことを特徴とするスチールラック用ビーム。
【請求項２】
棚板の端縁部分が挿入される溝部の断面形状をＵ字形またはＶ字形にしたことを特徴とする請求項１に記載のスチールラック用ビーム
【請求項３】
支柱間に渡ってスチールラック用ビームが梁わたされ、このスチールラック用ビームに天板若しくは棚板を設置されて構成されるスチールラックであって、スチールラック用ビームが、両端部に支柱に掛止され若しくは固定具で固定される取り付け部を有し、当該取り付け部間のビームの断面形状が、棚板の端縁部分が挿入される溝部と当該溝部を形成する一側縁から、棚板からの荷重を受ける荷重受け部を略水平に延出した形状に形成されていることを特徴とするスチールラック。
【発明の詳細な説明】
【技術分野】
【０００１】
本発明は、スチールラック及びスチールラック用ビームの改良に関するものである。
【背景技術】
【０００２】
一般に、スチールラックは、家庭内の書架や商店の商品の載置台として使用される軽荷重用のものから、倉庫で機械部品の保管や収納用の重荷重用のものまで、広く使用されており、棚板やこれを支持するビームも用途に合わせて、例えば軽荷重用、中荷重用、重荷重用と、複数のランクがあり、これをその目的や用途に合わせて使用するようにしている。
そしてかかるスチールラックの構造は、例えば特許文献１及び特許文献２に示すように、断面がＬ形のアングル支柱若しくは、断面が角形の支柱を四隅に設けこの支柱間に保形を兼ねた棚載せ用のビーム（梁）を設け、このビームに棚板を設置した構造になっている。
【０００３】
ところが、従来のスチールラックでは、上記のように複数のランク毎に支柱、ビーム、棚板等、多品種の部材を保管・管理しなくてはならず手間がかかり、広い収納スペースも必要とするという問題があった。
さらに、スチールラックの上記軽荷重用、中荷重用、重荷重用等の各ランクは、安全率は設定されているものの、大まかな目安であって、その許容荷重範囲内で使用する場合でも、例えば収納若しくは載置される物品が棚板上に偏って置かれ、局部的に荷重が偏った場合には当該部分の棚板やこれを支持するビームが変形し、耐久性が悪くなるだけでなく、スチールラック自体が変形、損壊してしまうという危険性もあった。
【先行技術文献】
【特許文献】
【０００４】
【特許文献１】特開２００７−１３５９５４号公報
【特許文献２】実用新案登録第３１０５６９９号公報
【発明の概要】
【発明が解決しようとする課題】
【０００５】
本発明は上記問題点に鑑み提案されたもので、簡単な構造でありながら、許容荷重範囲が広く、耐久性の高い安全なスチールラック及びそのビームを提供できるようにすることを目的とするものである。
【課題を解決するための手段】
【０００６】
目的を達成するために本発明にかかるスチールラック用ビームは、天板若しくは棚板を設置するために支柱間に渡って梁わたされて、使用されるスチールラック用ビームであって、両端部に支柱に掛止され若しくは固定具で固定される取り付け部を有し、当該取り付け部間のビームの断面形状が、棚板の端縁部分が挿入される溝部と当該溝部を形成する一側縁から、棚板からの荷重を受ける荷重受け部を略水平に延出した形状にしたことを特徴とするものである。
【０００７】
本発明にかかるスチールラックは、支柱間に渡ってスチールラック用ビームが梁わたされ、このスチールラック用ビームに天板若しくは棚板が設置されて構成されるスチールラックであって、スチールラック用ビームが、両端部に支柱に掛止され若しくは固定具で固定される取り付け部を有し、当該取り付け部間のビームの断面形状が、棚板の端縁部分が挿入される溝部と当該溝部を形成する一側縁から、棚板からの荷重を受ける荷重受け部を略水平に延出した形状に形成されていることを特徴とするものである。
【発明の効果】
【０００８】
本発明によれば、スチールラック用ビームが、天板若しくは棚板を設置するために支柱間に渡って梁わたされて、使用されるスチールラック用ビームであって、両端部に支柱に掛止され若しくは固定具で固定される取り付け部を有し、当該取り付け部間のビームの断面形状が、棚板の端縁部分が挿入される溝部と当該溝部を形成する一側縁から、棚板からの荷重を受ける荷重受け部を略水平に延出した形状にしてあるので、大きな荷重を、前記溝部とこの溝部を形成する一側縁から延出させた前記荷重受け部の広い面で受けることができる。
【０００９】
これにより、許容荷重範囲を広くして、軽荷重用、中荷重用、重荷重用等の種類を少なくすることができ、従来のように複数のランク毎に支柱、ビーム、棚板等、多品種の部材を保管・管理する手間を少なくできるとともに、その収納スペースも少なくできる利点がある。
【００１０】
また、本発明はかかるスチールラックは、支柱間に渡ってスチールラック用ビームが梁わたされ、このスチールラック用ビームに天板若しくは棚板を設置されて構成されるスチールラックであって、スチールラック用ビームが、両端部に支柱に掛止され若しくは固定具で固定される取り付け部を有し、当該取り付け部間のビームの断面形状が、棚板の端縁部分が挿入される溝部と当該溝部を形成する一側縁から棚の荷重を受ける荷重受け部を略水平に延出した形状に形成されているので、上述のように大きな荷重や偏荷重にもスチールラック用ビームの変形が無く、安全で且つ、スチールラックの耐久性を大幅に向上させることができる利点がある。
【図面の簡単な説明】
【００１１】
【図１】は本発明にかかるスチールラックの分解斜視図である。
【図２】は本発明にかかるスチールラック用ビームの取り付け部分の拡大斜視図である。
【図３】は本発明にかかるスチールラックを使用した時のビーム部分の縦断側面図である。
【図４】は本発明にかかるスチールラック用ビームの溝部の形状を変更したビーム部分の縦断側面図である。
【発明を実施するための形態】
【００１２】
本発明にかかるスチールラック用ビーム部分は、棚板の端縁部分が挿入される溝部の断面形状をＵ字形またはＶ字形にすることが望ましい。
【実施例】
【００１３】
以下、本発明にかかるスチールラック用ビームとこれを備えたスチールラックの最も好ましい実施の形態を図面に基づいて説明する。
図１は本発明にかかるスチールラックの分解斜視図であって、図中符号１は後述する部品からなるスチールラックを全体的に示す。
【００１４】
このスチールラック１は、棚板２の４隅に位置して立設される支柱３・３・３・３と、当該支柱３・３・３・３間に配設されるスチールラック用ビーム（以下単にビームという）４・４・４・４・・・と、前記４本の支柱３・３・３・３をビーム４・４・４・４・・・で連結して形成された枠体の上端部に設置される天板５と、枠体の下方に設けられ、棚板２を兼用する底板６とを備えてなる。
【００１５】
上記棚板２は矩形の鋼板を、その周縁を下方に折り曲げて後述のビーム４・４・４・４の溝部１３に掛合する掛合辺（端縁部分）７を形成するとともに、下面の中央部分にはその長手方向に鋼板を折り曲げて形成した補強用桟材８が設けられている。
また、上記各支柱３は、鋼板を、その横断面をＬ形若しくはコの字形あるいはロの字形に折り曲げて形成されており、側面部分にはビーム４の端部が掛合乃至連結される複数の連結穴９が等間隔に穿設されている。
【００１６】
ビーム４は、図２に示すように、両端部分に上記支柱４の連結穴９に掛合乃至連結される掛止部１０とボルト等の固定具（図示せず）が挿通される連結具挿通孔１１とからなる取り付け部１２が形成されるとともに、支柱３・３間部分は、その縦断面の形状が、棚板２の掛合辺７が挿入される溝部１３と、この溝部１３を形成する一側縁から棚板２の荷重を受ける荷重受け部１４を略水平に延出した形状に、鋼板を折り曲げてしてある。
因みに、溝部１３を形成する他縁部分は、溝部１３の内方に折り曲げてビーム４の補強を兼ねた端部処理１５が施されている。
【００１７】
上記のように形成された各部材でスチールラック１を組み立てる場合を次に説明すると、先ず、４本の各支柱３の側面に穿設された連結穴９にビーム４の端部の取り付け部１２の掛止部１０を掛合させ、連結具挿通孔１１にボルト等の固定具を挿通して固定することにより、上下３段のビーム４で４本の支柱３・３・３・３が固定された枠体を形成する。
【００１８】
次に、枠体のビーム４の底部には、棚板２を兼用する底板６を、中断には棚板を、上段には天板５のそれぞれを、図３に示すように、掛合辺７がビーム４の溝部１３に掛合するように嵌合させるとともに、各板２・５・６の底面部分１６を溝部１３の一側縁から略水平に延出した荷重受け部１４に当接させると、上下２段のスチールラック１が形成される。
斯くして組み立てられたスチールラック１は、例えば中断部分の棚板２に重い物品を載置した場合、この物品の荷重は棚板２の底面１６に面で当接している広い面に分散して受けられるので、単位面積当たりの荷重が小さくなる。
【００１９】
したがって、重い物品が棚板２に偏った状態で載置されても、ビーム４や棚板２の変形を可及的に防止することができる。これにより、棚板２への載置許容範囲を拡大させることができる。
ここで、ビーム４の溝部１３の一側縁から保護水平に形成された荷重受け部１４について付言しておくと、この荷重受け部１４は、単に棚板２からの荷重を受けとめるだけでなく、溝部１３の補強を兼ねており、例えば大きな荷重で溝部１３が開いて変形するのを防止する。
【００２０】
尚、上記実施の形態ではビーム４の溝部１３の縦断面の形状を図上角形Ｕ字状にしてあるが、こうしたものに限られず、溝部１３の縦断面の形状を例えば図４に示すようにＶ字形にしても良い。
この場合、溝部１３に挿入された棚板２の掛合辺７の先端部がＶ字形の傾斜面２１に当接して案内されて落ち着くので、ガタツキを防止することができる。
また、図示は省略したが底が丸いＵ字形にすることもできることは勿論のことである。
【符号の説明】
【００２１】
１・・・スチールラック
２・・・棚板
３・・・支柱
４・・・ビーム
７・・・端縁部（掛合辺）
１２・・・取り付け部
１３・・・溝部
１４・・・荷重受け部
【図１】
2010162184.tif 000003
【図２】
2010162184.tif 000004
【図３】
2010162184.tif 000005
【図４】
2010162184.tif 000006